(57)【要約】      （修正有）【課題】より確実に埃やウイルス等の除去が可能なエアシャワー装置を提供する。【解決手段】柱状で、門状の内側の空気を取り込む吸引口を有する吸気側本体１０と、柱状で、吸気側本体で取り込まれた空気をオゾンにより洗浄して門状の内側に向かって排出する排気口を有する排気側本体２０と、吸気側本体と排気側本体とを上部で繋ぎ、吸気側本体で取り込まれた空気を排気側本体に送る接合ダクト４０とを備え、吸気側本体と排気側本体とが人が通過可能な幅に離間して設けられ、接合ダクトが人が通過可能な高さに配置されている。【選択図】図１
0003231171.tif 000002
【実用新案登録請求の範囲】
【請求項１】
人が通過可能な門状で、該人に空気を吹き付けるエアシャワー装置において、
柱状で、該門状の内側の空気を取り込む吸引口を有する吸気側本体と、
柱状で、該吸気側本体で取り込まれた空気をオゾンにより洗浄して該門状の内側に向かって排出する排気口を有する排気側本体と、
該吸気側本体と該排気側本体とを上部で繋ぎ、該吸気側本体で取り込まれた空気を該排気側本体に送る接合ダクトとを備え、
該吸気側本体と該排気側本体とが該人が通過可能な幅に離間して設けられ、該接合ダクトが該人が通過可能な高さに配置されていることを特徴とするエアシャワー装置。
【請求項２】
前記接合ダクトが、前記門状の内側の空気を取り込む吸気用穴を有することを特徴とする請求項１記載のエアシャワー装置。
【請求項３】
前記吸気側本体が、前記門状の内側以外の空気を取り込む外気取入口を有することを特徴とする請求項１又は請求項２記載のエアシャワー装置。
【請求項４】
前記排気側本体が、前記吸気側本体と前記接合ダクトを介して空気を循環させる送風機を有することを特徴とする請求項１〜請求項３のいずれかに記載のエアシャワー装置。
【請求項５】
前記排気側本体が、前記排気口の直前に、排出する空気に前記オゾンを生成し該空気にオゾンを混合させるオゾン混合ノズルを有することを特徴とする請求項１〜請求項４のいずれかに記載のエアシャワー装置。
【考案の詳細な説明】
【技術分野】
【０００１】
本考案は、人が通過可能な門状で、人に空気を吹き付けるエアシャワー装置に関する。
【背景技術】
【０００２】
従来より、人の身体の表面に空気を吹き付けて、人の身体の表面の埃や菌等を除去させる装置として、エアシャワー装置がある。従来のエアシャワー装置としては、例えば、特許文献１のエアシャワー装置がある。特許文献１のエアシャワー装置は、除電用のイオンを高速のエアジェットに乗せて全身にくまなく吹き付けることができ、人体や衣服に付着している塵埃を除電しながら高速のエアジェットで確実に吹き落とすことができるとともに、装置の小型化も可能とした簡易型のものである。
【０００３】
より具体的には、踏み台部と、エアシャワー室を形成するカーテンを吊り下げるためのカーテンレールを備えた頭上板と、支柱部とからなり、頭上板には送風機と除電機能付きの固定式エアブローノズルとを備え、支柱部には送風機とフィルターの間をつなぐ吸気ダクトと除電機能付きの移動式エアブローノズルとを備え、固定式エアブローノズルから除電用イオンを含んだ空気を頭上側から吹き付けると同時に、移動式エアブローノズルを上下方向に往復動させながら除電用イオンを含んだ空気を側面から吹き付けるものである。
【先行技術文献】
【特許文献】
【０００４】
【特許文献１】実用新案登録第３１２４４２７号公報
【考案の概要】
【考案が解決しようとする課題】
【０００５】
しかしながら、従来の特許文献１に示されるエアシャワー装置は、除菌された空気を吹き付けるものではないため、十分に埃やウイルス等の除去を行えない可能性がある。
【０００６】
本考案は、このような事情に鑑みてなされたもので、より確実に埃やウイルス等の除去が可能なエアシャワー装置を提供することにある。
【課題を解決するための手段】
【０００７】
請求項１記載のエアシャワー装置は、柱状で、門状の内側の空気を取り込む吸引口を有する吸気側本体と、柱状で、吸気側本体で取り込まれた空気をオゾンにより洗浄して門状の内側に向かって排出する排気口を有する排気側本体と、吸気側本体と排気側本体とを上部で繋ぎ、吸気側本体で取り込まれた空気を排気側本体に送る接合ダクトとを備え、吸気側本体と排気側本体とが人が通過可能な幅に離間して設けられ、接合ダクトが人が通過可能な高さに配置されていることを特徴とする。
【０００８】
請求項２記載のエアシャワー装置は、接合ダクトが、門状の内側の空気を取り込む吸気用穴を有することを特徴とする。
【０００９】
請求項３記載のエアシャワー装置は、吸気側本体が、門状の内側以外の空気を取り込む外気取入口を有することを特徴とする。
【００１０】
請求項４記載のエアシャワー装置は、排気側本体が、吸気側本体と接合ダクトを介して空気を循環させる送風機を有することを特徴とする。
【００１１】
請求項５記載のエアシャワー装置は、排気側本体が、排気口の直前に、排出する空気にオゾンを生成し空気にオゾンを混合させるオゾン混合ノズルを有することを特徴とする。
【考案の効果】
【００１２】
本考案によれば、吸気側本体で取り込まれた空気をオゾンにより洗浄して門状の内側に向かって排出することから、吹き付ける空気は綺麗で、新たな菌等を付着させてしまうことがおきにくく、より確実に埃やウイルス等の除去が可能である。
【図面の簡単な説明】
【００１３】
【図１】本考案に係るエアシャワー装置の一例を示す構成の説明図である。
【図２】同エアシャワー装置の吸気側本体の門状の内側を示す説明図である。
【図３】同エアシャワー装置の排気側本体の門状の内側を示す説明図である。
【図４】同エアシャワー装置の平面の様子を示す説明図である。
【図５】同エアシャワー装置の動作を示す説明図である。
【図６】同エアシャワー装置の排気側本体の内部構造及び動作を示す説明図である。
【考案を実施するための形態】
【００１４】
以下、図を用いて説明する。図１は、本考案に係るエアシャワー装置の一例を示す構成の説明図である。図２は、同エアシャワー装置の吸気側本体の門状の内側を示す説明図である。図３は、同エアシャワー装置の排気側本体の門状の内側を示す説明図である。図４は、同エアシャワー装置の平面の様子を示す説明図である。図５は、同エアシャワー装置の動作を示す説明図である。図６は、同エアシャワー装置の排気側本体の内部構造及び動作を示す説明図である。
【００１５】
本考案におけるエアシャワー装置１は、人が通過可能な門状で、人に空気を吹き付けるものである。エアシャワー装置１は、吸気側本体１０と排気側本体２０と接合ダクト４０とから構成されている。そして、エアシャワー装置１は、吸気側本体１０と排気側本体２０とが、人が通過可能な幅に離間して起立しており、接合ダクト４０が、人が通過可能な高さに配置され吸気側本体１０と排気側本体２０とを上部で繋いでいる。このように、エアシャワー装置１は、吸気側本体１０と排気側本体２０と接合ダクト４０とにより、人が通過可能な門状に形成され、門状の内側Ｇを通過する人に、空気を吹き付ける構成である。
【００１６】
吸気側本体１０は、柱状で、門状の内側Ｇの空気を取り込む吸引口１２を有している。尚、本実施の形態の吸気側本体１０は、柱状の中でも、特に略直方体状であるが、吸気側本体１０と排気側本体２０と接合ダクト４０とにより人が通過可能な門状を構成する形状であればよく、例えば略円柱状であってもよい。また、吸引口１２に埃やウイルス等を除去するためのフィルタを設けるようにしてもよい。
【００１７】
また、吸気側本体１０に、門状の内側Ｇ以外の空気を取り込む外気取入口１４を設けるようにしてもよい。尚、本実施の形態の吸気側本体１０では、側面に外気取入口１４を設けるのみならず、上面にも複数の外気取入口１６を設けるようにしている。そして、外気取入口１４，１６に埃やウイルス等を除去するためのフィルタを設けるようにしてもよい。このように、吸気側本体１０に、門状の内側Ｇ以外の空気を取り込む外気取入口１４，１６を設けるようにすることで、より新鮮な空気を周囲から取り入れることで、埃やウイルス等の除去能力を高めることが可能となる。
【００１８】
排気側本体２０は、柱状で、吸気側本体１０で取り込まれた空気をオゾンにより洗浄して門状の内側Ｇに向かって排出する排気口２２を有する。排気側本体２０は、吸気側本体１０と接合ダクト４０を介して空気を循環させる送風機３２を有し、エアシャワー装置１の全体の空気の循環を司っている。尚、本実施の形態の排気側本体２０は、柱状の中でも、特に略直方体状であるが、吸気側本体１０と排気側本体２０と接合ダクト４０とにより人が通過可能な門状を構成する形状であればよく、例えば略円柱状であってもよい。
【００１９】
接合ダクト４０は、吸気側本体１０と排気側本体２０とを上部で繋ぎ、吸気側本体１０で取り込まれた空気を排気側本体２０に送るものである。また、本実施の形態に示すように、門状の内側Ｇの空気を取り込む吸気用穴４２を有するようにしてもよい。
【００２０】
尚、吸気側本体１０と排気側本体２０と接合ダクト４０のそれぞれの外形を構成する材質は、金属等、特に限定されない。
【００２１】
排気側本体２０の詳細を説明すると、排気側本体２０は、内部に、吸気用通気路３０、送風機３２、吸排気ダクト３４、オゾン発生器３６、オゾン混合ノズル３８等を備え、門状の内側Ｇの側に排気口２２を設けている。
【００２２】
排気側本体２０の吸気用通気路３０は、接合ダクト４０からの空気を、排気側本体２０の下方に設けられた空気を循環させる例えばファンで構成される送風機３２に送るダクト状の流路を構成する。送風機３２の上方には、吸気用通気路３０から取り込んだ空気を上方に送るための上方に伸びる吸排気ダクト３４を備えている。吸排気ダクト３４は、複数の吹出口を有しており、それぞれの吹出口が、排気側本体２０の門状の内側Ｇの側に設けられた排気口２２に向かって解放されている。
【００２３】
吸排気ダクト３４は、内部に、オゾン混合ノズル３８を備え、オゾン混合ノズル３８には、オゾン発生器３６からオゾンが供給される。オゾン混合ノズル３８は、吸排気ダクト３４内の空気にオゾンが混合するようにオゾンを吸排気ダクト３４内に放出されるようになっている。このように、本実施の形態の排気側本体２０では、排気口２２の直前に、排出する空気にオゾンを生成し空気にオゾンを混合させるオゾン混合ノズル３８を有する構造となっている。尚、本実施の形態では、オゾン混合ノズル３８は、排気側本体２０の門状の内側Ｇの側に設けられたオゾン吹出口２４にも繋がり、オゾン自体を門状の内側Ｇに吹き出すことが可能になっている。
【００２４】
尚、オゾン発生器３６で生成されるオゾンの濃度は、門状の内側Ｇに吹き出す空気においても、門状の内側Ｇに吹き出すオゾン自体にしても、０．１ｐｐｍ以下に制御されている。
【００２５】
次に、以上のような構成のエアシャワー装置１の動作を説明する。図５に示すように、基本的には、排気側本体２０の送風機３２によって、全体の空気の流れが生じるが、まず、吸気側本体１０の吸引口１２から門状の内側Ｇの空気が取り込まれると共に、外気取入口１４，１６から門状の内側Ｇ以外の空気が、吸気側本体１０に取り込まれる。
【００２６】
吸気側本体１０に取り込まれた空気は、接合ダクト４０を介して排気側本体２０に送られるが、接合ダクト４０に設けられた吸気用穴４２からも門状の内側Ｇの空気が取り込まれて、一体となって排気側本体２０に送られる。
【００２７】
排気側本体２０に送られた空気は、吸気用通気路３０を通って、送風機３２によって、吸排気ダクト３４側に送られる。空気は、吸排気ダクト３４で、オゾン混合ノズル３８からのオゾンにより洗浄される。洗浄された空気は、排気側本体２０の排気口２２から、門状の内側Ｇに吹き出される。また、オゾンが、排気側本体２０のオゾン吹出口から、門状の内側Ｇに吹き出される。
【００２８】
吸気側本体１０と排気側本体２０とが人が通過可能な幅に離間して設けられ、接合ダクト４０が人が通過可能な高さに配置されていることから、門状の内側Ｇを通過する人に洗浄された空気が吹き付けられることになる。
【００２９】
このような構成と動作のエアシャワー装置１によれば、吸気側本体１０で取り込まれた空気をオゾンにより洗浄して門状の内側Ｇに向かって排出することから、吹き付ける空気は綺麗で、新たな菌等を付着させてしまうことがおきにくく、より確実に埃やウイルス等の除去が可能である。
【００３０】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００３１】
本考案により、より確実に埃やウイルス等の除去が可能なエアシャワー装置を提供することができる。
【符号の説明】
【００３２】
１・・・・エアシャワー装置
１０・・・吸気側本体
１２・・・吸引口
１４・・・外気取入口
１６・・・外気取入口
２０・・・排気側本体
２２・・・排気口
２４・・・オゾン吹出口
３０・・・吸気用通気路
３２・・・送風機
３４・・・吸排気ダクト
３６・・・オゾン発生器
３８・・・オゾン混合ノズル
４０・・・接合ダクト
４２・・・吸気用穴
【図１】
0003231171.tif 000003
【図２】
0003231171.tif 000004
【図３】
0003231171.tif 000005
【図４】
0003231171.tif 000006
【図５】
0003231171.tif 000007
【図６】
0003231171.tif 000008